(57)【要約】【課題】  プレゼンテーションの進行中における参加者の数が変動する状況にあっても、各参加者へのプロジェクタの占有時間の割り当てを機動的に管理することができるプレゼンテーション支援装置を提供すること。【解決手段】  画像をスクリーンに投射するプレゼンテーション支援装置１０に、無線ＬＡＮネットワークのアクセスポイントとしての機能と、プレゼンテーションのスケジュールを管理する機能とを搭載させる。各参加者のプレゼンテーションの持ち時間をプレゼンテーション支援装置１０に予め設定しておき、この持ち時間の終了が近くなると、プレゼンテーションの終了を促す内容の画面をスクリーン３０に投射させる。【選択図】      図１
2005244332.tif 000002
【特許請求の範囲】
【請求項１】
複数の端末とリンクを確立し、当該リンクを確立した各端末との間でデータのやり取り
を行なうネットワークモジュール部と、
スクリーンに映し出されるべき画像を表す画像データを一時的に記憶する画像記憶部と
、
端末を一意に識別する各端末識別子を記憶すると共に、前記スクリーンの占有を許可し
たことを示す許可フラグを前記各端末識別子のいずれかと関連付ける端末情報記憶部と、
前記画像記憶部に記憶された画像データを読出し、読み出した画像データが表す画像を
前記スクリーンに投射する投射部と、
端末とのリンクが確立される毎に、その端末から前記ネットワークモジュール部を介し
て取得した端末識別子を前記端末情報記憶部に記憶する端末登録部と、
前記スクリーンの占有を許可する端末を指定する許可端末指定部と、
当該指定された端末の端末識別子を前記端末情報記憶部から特定し、特定した端末識別
子に前記許可フラグを関連付けるフラグ設定部と、
前記リンクを確立した端末から、端末識別子と画像データとを含むスクリーン利用要求
を前記ネットワークモジュール部を介して取得する利用要求取得部と、
当該取得したスクリーン利用要求に含まれる端末識別子と、前記端末情報記憶部にて前
記許可フラグと関連付けられている端末識別子とが一致するか判断し、両者が一致すると
き、当該スクリーン利用要求に含まれる画像データを前記画像記憶部に記憶する投射許可
判断部と
を備えるプレゼンテーション支援装置。
【請求項２】
複数の端末とリンクを確立し、当該リンクを確立した各端末との間でデータのやり取り
を行なうネットワークモジュール部と、
スクリーンに映し出されるべき画像を表す画像データを一時的に記憶する画像記憶部と
、
端末を一意に識別する各端末識別子を記憶すると共に、前記スクリーンの占有を許可し
たことを示す許可フラグを前記各端末識別子のいずれかと関連付ける端末情報記憶部と、
前記画像記憶部に記憶された画像データを読出し、読み出した画像データが表す画像を
前記スクリーンに投射する投射部と、
端末とのリンクが確立される毎に、その端末から前記ネットワークモジュール部を介し
て取得した端末識別子を前記端末情報記憶部に記憶する端末登録部と、
前記スクリーンの占有を許可する端末を指定する許可端末指定部と、
当該指定された端末の端末識別子を前記端末情報記憶部から特定し、特定した端末識別
子に前記許可フラグを関連付けるフラグ設定部と、
前記リンクを確立した端末から、端末識別子と画像データとを含むスクリーン利用要求
を前記ネットワークモジュール部を介して取得する利用要求取得部と、
当該取得したスクリーン利用要求に含まれる端末識別子と、前記端末情報記憶部にて前
記許可フラグと関連付けられている端末識別子とが一致するか判断し、両者が一致すると
き、当該スクリーン利用要求に含まれる画像データを前記画像記憶部に記憶する投射許可
判断部と、
前記スクリーンの占有を許可する端末の切り替えを指示する切替指示部と、
当該切り替えが指示されたとき、それまで前記許可フラグと関連付けられていた端末識
別子を前記端末情報記憶部から消去し、別の端末の指定を促すメッセージを出力する再設
定要求部と
を備えるプレゼンテーション支援装置。
【請求項３】
請求項２記載のプレゼンテーション支援装置において、
予め設定されれたプレゼンテーション終了時刻の到来を計測するタイマ部を備え、
前記切替指示部は、
前記プレゼンテーション終了時刻が到来したことを前記タイマ部が計測すると、前記切
り替えを指示する
プレゼンテーション支援装置。
【請求項４】
請求項２記載のプレゼンテーション支援装置において、
予め設定された一回のプレゼンテーション当たりのプレゼンテーション予定時間の経過
を計測するタイマ部を備え、
前記切替指示部は、
前記投射部が画像の投射を開始した後、前記プレゼンテーション予定時間が経過したこ
とを前記タイマ部が計測すると、前記切り替えを指示する
プレゼンテーション支援装置。
【請求項５】
請求項３記載のプレゼンテーション支援装置において、
前記タイマ部は、
前記プレゼンテーション終了時刻よりも所定の時間長遡った、プレゼンテーション終了
予告時刻の到来を計測し、
前記投射部は、
前記プレゼンテーション終了予告時刻が到来したことを前記タイマ部が計測すると、プ
レゼンテーションの早期終了を促すメッセージを前記スクリーンに投射する
プレゼンテーション支援装置。
【請求項６】
請求項４記載のプレゼンテーション支援装置において、
前記タイマ部は、
前記プレゼンテーション予定時間の経過時よりも所定の時間長遡った、プレゼンテーシ
ョン終了予告時刻の到来を計測し、
前記投射部は、
前記プレゼンテーション終了予告時刻が到来したことを前記タイマ部が計測すると、プ
レゼンテーションの早期終了を促すメッセージを前記スクリーンに投射する
プレゼンテーション支援装置。
【請求項７】
請求項３乃至６記載のプレゼンテーション支援装置において、
前記プレゼンテーション終了時刻又は前記プレゼンテーション予定時間の設定内容を変
更するタイマ設定変更部を備えた
プレゼンテーション支援装置。
【請求項８】
請求項２乃至７記載のプレゼンテーション支援装置において、
当該支援装置の設定情報を記憶したメモリと、外部から印加された電波を基に動作電力
を生成する起電部と、当該生成した動作電力の作用を受けて前記メモリから設定情報を読
出し、読み出した設定情報を無線信号として外部へ発信する発信部とを内蔵する無線タグ
モジュール部を更に備えた
プレゼンテーション支援装置。
【請求項９】
複数の端末とリンクを確立し、当該リンクを確立した各端末との間でデータのやり取り
を行なうネットワークモジュール部と、
スクリーンに映し出されるべき画像を表す画像データを一時的に記憶する画像記憶部と
、
端末を一意に識別する各端末識別子を記憶すると共に、前記スクリーンの占有を許可し
たことを示す許可フラグを前記各端末識別子のいずれかと関連付ける端末情報記憶部と、
前記画像記憶部に記憶された画像データを読出し、読み出した画像データが表す画像を
前記スクリーンに投射する投射部と、
前記スクリーンの占有を許可する端末を入力する入力部と
を備えたコンピュータ装置に、
端末とのリンクが確立される毎に、その端末から前記ネットワークモジュール部を介し
て取得した端末識別子を前記端末情報記憶部に記憶する端末登録処理と、
前記入力部から前記スクリーンの占有を許可する端末が入力されたとき、その端末の端
末識別子を前記端末情報記憶部から特定し、特定した端末識別子に前記許可フラグを関連
付けるフラグ設定処理と、
前記リンクを確立した端末から、端末識別子と画像データとを含むスクリーン利用要求
を前記ネットワークモジュール部を介して取得する利用要求取得処理と、
当該取得したスクリーン利用要求に含まれる端末識別子と、前記端末情報記憶部にて前
記許可フラグと関連付けられている端末識別子とが一致するか判断し、両者が一致すると
き、当該スクリーン利用要求に含まれる画像データを前記画像記憶部に記憶する投射許可
判断処理と
を実行させるプログラム。
【請求項１０】
複数の端末とリンクを確立し、当該リンクを確立した各端末との間でデータのやり取り
を行なうネットワークモジュール部と、
スクリーンに映し出されるべき画像を表す画像データを一時的に記憶する画像記憶部と
、
端末を一意に識別する各端末識別子を記憶すると共に、前記スクリーンの占有を許可し
たことを示す許可フラグを前記各端末識別子のいずれかと関連付ける端末情報記憶部と、
前記画像記憶部に記憶された画像データを読出し、読み出した画像データが表す画像を
前記スクリーンに投射する投射部と、
前記スクリーンの占有を許可する端末を入力すると共に、前記スクリーンの占有を許可
する端末の切り替えの指示を入力する入力部と
を備えたコンピュータ装置に、
端末とのリンクが確立される毎に、その端末から前記ネットワークモジュール部を介し
て取得した端末識別子を前記端末情報記憶部に記憶する端末登録処理と、
前記入力部から前記スクリーンの占有を許可する端末が入力されたとき、その端末の端
末識別子を前記端末情報記憶部から特定し、特定した端末識別子に前記許可フラグを関連
付けるフラグ設定処理と、
前記リンクを確立した端末から、端末識別子と画像データとを含むスクリーン利用要求
を前記ネットワークモジュール部を介して取得する利用要求取得処理と、
当該取得したスクリーン利用要求に含まれる端末識別子と、前記端末情報記憶部にて前
記許可フラグと関連付けられている端末識別子とが一致するか判断し、両者が一致すると
き、当該スクリーン利用要求に含まれる画像データを前記画像記憶部に記憶する投射許可
判断処理と、
前記入力部から、前記スクリーンの占有を許可する端末の切り替えの指示が入力された
とき、それまで前記許可フラグと関連付けられていた端末識別子を前記端末情報記憶部か
ら消去し、別の端末の指定を促すメッセージを出力する再設定要求処理と
を実行させるプログラム。
【発明の詳細な説明】
【技術分野】
【０００１】
本発明は、プロジェクタを利用したプレゼンテーションを支援する技術に関する。
【背景技術】
【０００２】
従来より、電子化された資料を格納したパーソナルコンピュータ（以下、「ＰＣ」）を
プロジェクタに接続し、このプロジェクタを用いてスクリーンに投射させた資料を参照し
ながら進行する形式のプレゼンテーションが広く普及している。更に、最近では、各参加
者のＰＣとプロジェクタに無線ＬＡＮ（Local Area Network）モジュールを搭載させるこ
とにより、一台のプロジェクタを複数の参加者で交互に利用しうるようなプレゼンテーシ
ョン環境を煩わしい準備作業を行なうことなしに構築できるようになってきた。そして、
このようなプレゼンテーション環境のワイヤレス化を支援する技術も提案されている（例
えば、特許文献１参照）。
【特許文献１】特開２００３−２２９８６５
【発明の開示】
【発明が解決しようとする課題】
【０００３】
ところで、限られた開催時間の中で各参加者に発表の機会を公平に与えるべく、プレゼ
ンテーションの運営者は、各参加者に対してプロジェクタの占有時間が概ね平等に割り当
てられるような進行を行なうことが強く求められる。
しかしながら、無線ＬＡＮによってプレゼンテーション環境を構築した場合、その無線
ＬＡＮネットワークへの新たなＰＣの接続や当初接続していたＰＣの離脱などの手続を、
プレゼンテーション自体の進行を妨げることなく各参加者が個別に行なうことができるた
め、進行中の参加者の数やその構成は流動的になりがちであり、プロジェクタの占有時間
の割り当てを初めから決定した上で進行することは困難であることも多い。
本発明は、このような背景の下に案出されたものであり、プレゼンテーションの進行中
における参加者の数が変動する状況にあっても、各参加者へのプロジェクタの占有時間の
割り当てを機動的に管理することができるプレゼンテーション支援装置を提供することを
目的とする。
【課題を解決するための手段】
【０００４】
本発明の好適な態様であるプレゼンテーション支援装置は、複数の端末とリンクを確立
し、当該リンクを確立した各端末との間でデータのやり取りを行なうネットワークモジュ
ール部と、スクリーンに映し出されるべき画像を表す画像データを一時的に記憶する画像
記憶部と、端末を一意に識別する各端末識別子を記憶すると共に、前記スクリーンの占有
を許可したことを示す許可フラグを前記各端末識別子のいずれかと関連付ける端末情報記
憶部と、前記画像記憶部に記憶された画像データを読出し、読み出した画像データが表す
画像を前記スクリーンに投射する投射部と、端末とのリンクが確立される毎に、その端末
から前記ネットワークモジュール部を介して取得した端末識別子を前記端末情報記憶部に
記憶する端末登録部と、前記スクリーンの占有を許可する端末を指定する許可端末指定部
と、当該指定された端末の端末識別子を前記端末情報記憶部から特定し、特定した端末識
別子に前記許可フラグを関連付けるフラグ設定部と、前記リンクを確立した端末から、端
末識別子と画像データとを含むスクリーン利用要求を前記ネットワークモジュール部を介
して取得する利用要求取得部と、当該取得したスクリーン利用要求に含まれる端末識別子
と、前記端末情報記憶部にて前記許可フラグと関連付けられている端末識別子とが一致す
るか判断し、両者が一致するとき、当該スクリーン利用要求に含まれる画像データを前記
画像記憶部に記憶する投射許可判断部とを備える。
【０００５】
本発明の別の好適な態様であるプレゼンテーション支援装置は、複数の端末とリンクを
確立し、当該リンクを確立した各端末との間でデータのやり取りを行なうネットワークモ
ジュール部と、スクリーンに映し出されるべき画像を表す画像データを一時的に記憶する
画像記憶部と、端末を一意に識別する各端末識別子を記憶すると共に、前記スクリーンの
占有を許可したことを示す許可フラグを前記各端末識別子のいずれかと関連付ける端末情
報記憶部と、前記画像記憶部に記憶された画像データを読出し、読み出した画像データが
表す画像を前記スクリーンに投射する投射部と、端末とのリンクが確立される毎に、その
端末から前記ネットワークモジュール部を介して取得した端末識別子を前記端末情報記憶
部に記憶する端末登録部と、前記スクリーンの占有を許可する端末を指定する許可端末指
定部と、当該指定された端末の端末識別子を前記端末情報記憶部から特定し、特定した端
末識別子に前記許可フラグを関連付けるフラグ設定部と、前記リンクを確立した端末から
、端末識別子と画像データとを含むスクリーン利用要求を前記ネットワークモジュール部
を介して取得する利用要求取得部と、当該取得したスクリーン利用要求に含まれる端末識
別子と、前記端末情報記憶部にて前記許可フラグと関連付けられている端末識別子とが一
致するか判断し、両者が一致するとき、当該スクリーン利用要求に含まれる画像データを
前記画像記憶部に記憶する投射許可判断部と、前記スクリーンの占有を許可する端末の切
り替えを指示する切替指示部と、当該切り替えが指示されたとき、それまで前記許可フラ
グと関連付けられていた端末識別子を前記端末情報記憶部から消去し、別の端末の指定を
促すメッセージを出力する再設定要求部とを備える。
【０００６】
この態様において、予め設定されれたプレゼンテーション終了時刻の到来を計測するタ
イマ部を備え、前記切替指示部は、前記プレゼンテーション終了時刻が到来したことを前
記タイマ部が計測すると、前記切り替えを指示するようにしてもよい。
また、予め設定された一回のプレゼンテーション当たりのプレゼンテーション予定時間
の経過を計測するタイマ部を備え、前記切替指示部は、前記投射部が画像の投射を開始し
た後、前記プレゼンテーション予定時間が経過したことを前記タイマ部が計測すると、前
記切り替えを指示するようにしてもよい。
【０００７】
更に、前記タイマ部は、前記プレゼンテーション終了時刻よりも所定の時間長遡った、
プレゼンテーション終了予告時刻の到来を計測し、前記投射部は、前記プレゼンテーショ
ン終了予告時刻が到来したことを前記タイマ部が計測すると、プレゼンテーションの早期
終了を促すメッセージを前記スクリーンに投射するようにしてもよい。
また、前記タイマ部は、前記プレゼンテーション予定時間の経過時よりも所定の時間長
遡った、プレゼンテーション終了予告時刻の到来を計測し、前記投射部は、前記プレゼン
テーション終了予告時刻が到来したことを前記タイマ部が計測すると、プレゼンテーショ
ンの早期終了を促すメッセージを前記スクリーンに投射するようにしてもよい。
【０００８】
上記一連の態様において、前記プレゼンテーション終了時刻又は前記プレゼンテーショ
ン予定時間の設定内容を変更するタイマ設定変更部を備えてもよい。
更に、当該支援装置の設定情報を記憶したメモリと、外部から印加された電波を基に動
作電力を生成する起電部と、当該生成した動作電力の作用を受けて前記メモリから設定情
報を読出し、読み出した設定情報を無線信号として外部へ発信する発信部とを内蔵する無
線タグモジュール部を備えてもよい。
【０００９】
本発明の別の好適な態様であるプログラムは、複数の端末とリンクを確立し、当該リン
クを確立した各端末との間でデータのやり取りを行なうネットワークモジュール部と、  
スクリーンに映し出されるべき画像を表す画像データを一時的に記憶する画像記憶部と、
端末を一意に識別する各端末識別子を記憶すると共に、前記スクリーンの占有を許可し
たことを示す許可フラグを前記各端末識別子のいずれかと関連付ける端末情報記憶部と、
前記画像記憶部に記憶された画像データを読出し、読み出した画像データが表す画像を
前記スクリーンに投射する投射部と、前記スクリーンの占有を許可する端末を入力する入
力部とを備えたコンピュータ装置に、端末とのリンクが確立される毎に、その端末から前
記ネットワークモジュール部を介して取得した端末識別子を前記端末情報記憶部に記憶す
る端末登録処理と、前記入力部から前記スクリーンの占有を許可する端末が入力されたと
き、その端末の端末識別子を前記端末情報記憶部から特定し、特定した端末識別子に前記
許可フラグを関連付けるフラグ設定処理と、前記リンクを確立した端末から、端末識別子
と画像データとを含むスクリーン利用要求を前記ネットワークモジュール部を介して取得
する利用要求取得処理と、当該取得したスクリーン利用要求に含まれる端末識別子と、前
記端末情報記憶部にて前記許可フラグと関連付けられている端末識別子とが一致するか判
断し、両者が一致するとき、当該スクリーン利用要求に含まれる画像データを前記画像記
憶部に記憶する投射許可判断処理とを実行させる。
【００１０】
本発明の別の好適な態様であるプログラムは、複数の端末とリンクを確立し、当該リン
クを確立した各端末との間でデータのやり取りを行なうネットワークモジュール部と、  
スクリーンに映し出されるべき画像を表す画像データを一時的に記憶する画像記憶部と、
端末を一意に識別する各端末識別子を記憶すると共に、前記スクリーンの占有を許可した
ことを示す許可フラグを前記各端末識別子のいずれかと関連付ける端末情報記憶部と、  
前記画像記憶部に記憶された画像データを読出し、読み出した画像データが表す画像を前
記スクリーンに投射する投射部と、前記スクリーンの占有を許可する端末を入力すると共
に、前記スクリーンの占有を許可する端末の切り替えの指示を入力する入力部とを備えた
コンピュータ装置に、端末とのリンクが確立される毎に、その端末から前記ネットワーク
モジュール部を介して取得した端末識別子を前記端末情報記憶部に記憶する端末登録処理
と、前記入力部から前記スクリーンの占有を許可する端末が入力されたとき、その端末の
端末識別子を前記端末情報記憶部から特定し、特定した端末識別子に前記許可フラグを関
連付けるフラグ設定処理と、  前記リンクを確立した端末から、端末識別子と画像データ
とを含むスクリーン利用要求を前記ネットワークモジュール部を介して取得する利用要求
取得処理と、当該取得したスクリーン利用要求に含まれる端末識別子と、前記端末情報記
憶部にて前記許可フラグと関連付けられている端末識別子とが一致するか判断し、両者が
一致するとき、当該スクリーン利用要求に含まれる画像データを前記画像記憶部に記憶す
る投射許可判断処理と、前記入力部から、前記スクリーンの占有を許可する端末の切り替
えの指示が入力されたとき、それまで前記許可フラグと関連付けられていた端末識別子を
前記端末情報記憶部から消去し、別の端末の指定を促すメッセージを出力する再設定要求
処理とを実行させる。
【発明を実施するための最良の形態】
【００１１】
（第１実施形態）
以下、本発明の第１実施形態について説明する。
本実施形態の特徴は、プレゼンテーションで用いる画像をスクリーンに投射する装置に
、無線ＬＡＮネットワークのアクセスポイントとしての機能と、プレゼンテーションのス
ケジュールを管理する機能とを搭載させた点である。
なお、以降の説明においては、自らの端末（パーソナルコンピュータ）を持ち寄ること
でプレゼンテーションの会合に参加する者を「参加者」と呼び、それらの参加者によるプ
レゼンテーションの進行を取り仕切る者を「管理者」と呼ぶ。また、無線ＬＡＮのネット
ワークに接続する機能を搭載した端末を「ステーション」と呼ぶ。更に、各参加者のうち
、プレゼンテーションの遂行者としてスクリーンを占有する許可が与えられた状態の者を
、適宜「占有権取得参加者」と呼ぶ。
【００１２】
図１は、本実施形態にかかるプレゼンテーションシステムの全体構成図である。同図に
示すように、このプレゼンテーションシステムは、管理者に使用されるプレゼンテーショ
ン支援装置１０と、各参加者が各々使用する複数のステーション２０と、プレゼンテーシ
ョン支援装置１０から投射された画像を表示させるスクリーン３０とから構成される。
図２は、プレゼンテーション支援装置１０のハードウェア構成を示すブロック図である
。
同図に示すように、この装置は、制御部１１と、ネットワークモジュール部１２と、無
線タグモジュール部１３と、ハードディスク１４と、メインメモリ１５と、画像用メモリ
１６と、投射部１７と、タイマ部１８と、タッチディスプレイ部１９とを備えている。
【００１３】
制御部１１は、装置全体の動作を制御するものであり、ＣＰＵ、レジスタなどを含んで
構成される。ネットワークモジュール部１２は、他の機器との間でリンクを確立してデー
タのやり取りを行なう役割を担う。無線タグモジュール部１３は、ネットワークモジュー
ル部１２によるリンクの確立を支援する設定情報を無線信号として他の機器に送信する役
割を担う。この無線タグモジュール部１３は、メモリ、アンテナコイル、電力生成部など
を内蔵しており、メモリには、他のノードがプレゼンテーション支援装置１０と無線ＬＡ
Ｎによるリンクを確立するために必要な設定情報、具体的には、プレゼンテーション支援
装置１０が採用するワイヤレス方式の種別や使用可能な無線周波数帯域、及びプレゼンテ
ーション支援装置１０のＩＰアドレスなどを予め記憶している。そして、外部から電波が
印加されると電波生成部にて動作電力が生成され、その動作電力の作用を受けてメモリか
ら読み出した設定情報をアンテナコイルを介して外部に発信する。
【００１４】
ハードディスク１４は、ＯＳ（operating system）のほか、本実施形態に特有の動作を
制御部１１に実行させるプレゼンテーション支援アプリケーションなどの各種プログラム
を予め記憶している。メインメモリ１５は、制御部１１が各種演算処理を行う際のワーク
領域として利用される。このメインメモリ１５には、各ステーション２０の状態を管理す
るステーション管理テーブルを形成する領域が確保されている。画像用メモリ１６は、ス
クリーン３０に映し出されるべき画像の画像データを蓄積するバッファとして利用される
。
【００１５】
図３は、メインメモリ１５に形成されるステーション管理テーブルのデータ構造図であ
る。このテーブルは、各々が１つのステーション２０と対応する複数のレコードの集合体
である。このテーブルを構成する１つのレコードは、「インデックス」、「ＩＤ」、「ア
ドレス」、「タイマ設定値」、及び「占有許可フラグ」の５つのフィールドを有している
。後述するリンク確立処理において、プレゼンテーション支援装置１０とステーション２
０とのリンクが確立されるたびに、このテーブルにレコードが１つ追加される。
「インデックス」のフィールドには、「１」から始まる番号が昇順に記憶される。
「ＩＤ」のフィールドには、ステーションＩＤが記憶される。このステーションＩＤは
、無線ＬＡＮネットワークに接続した各ステーション２０を各々識別するための仮の名称
であり、プレゼンテーション支援装置１０とのリンク確立時に各ステーション２０が申告
する。
「アドレス」のフィールドには、各ステーション２０のＭＡＣアドレスを記憶する。
「タイマ設定値」のフィールドには、各参加者のプレゼンテーションの持ち時間、即ち
、各参加者のステーション２０にスクリーン３０を占有させる時間を記憶する。このフィ
ールドの記憶内容は、後に説明する持ち時間設定処理の際、管理者によって個別に決定さ
れる。
「占有許可フラグ」のフィールドには、スクリーン３０の占有を許可していることを示
す許可フラグとして「１」を記憶する。制御部１１は、各参加者のステーション２０から
スクリーン３０の利用要求を受取ったときは、このフィールドの内容を参照することで、
利用要求の発信者が占有権取得参加者であるか否かを判断する。詳しくは動作説明の項で
説明する。
【００１６】
投射部１７は、ＬＣＤ（liquid crystal display）、レンズ、光源などを有している。
この投射部１７は、画像用メモリ１６に画像データが記憶されるとその画像データを直ち
に読み出し、読み出した画像データを基に描画した画像をＬＣＤを表示させ、更にその画
像を光源とレンズを用いてスクリーン３０に投射するといった動作を行なう。
タイマ部１８は、制御部１１によって設定された時刻の到来を計測し、設定された時刻
が到来したときにその旨を制御部１１に通知する。
タッチディスプレイ部１９は、情報の入力機能と表示機能とを司る。
【００１７】
図４は、ステーション２０のハードウェア構成を示すブロック図である。同図に示すよ
うに、ステーション２０は、制御部２１と、ネットワークモジュール部２２と、無線タグ
モジュール部２３と、ハードディスク２４と、メインメモリ２５と、操作部２８と、ディ
スプレイ部２９とを備えている。
制御部２１、ネットワークモジュール部２２、及びメインメモリ２５の構成は、プレゼ
ンテーション支援装置１０の同部と同様である。無線タグモジュール部２３は、プレゼン
テーション支援装置１０から設定情報を受信して制御部２１に引き渡す役割を担う。この
無線タグモジュール部２３は、アンテナコイル、リーダ／ライタなどを内蔵しており、自
機が他の無線タグモジュールに近づけられるとアンテナコイルから電波が発信され、その
応答信号として返信された設定情報をリーダ／ライタが読み取って制御部２１に引き渡す
ようになっている。
ハードディスク２４には、所定のアプリケーションソフトウェアを用いて予め作成され
たプレゼンテーション用の各種画像データが記憶される。操作部２８は、マウス、キーボ
ード等を含んで構成される。ディスプレイ部２９は、ＴＦＴ（thin film transistor）型
の液晶ディスプレイである。
【００１８】
次に、本実施形態の動作を説明する。
本実施形態の動作は、リンク確立処理と、持ち時間設定処理と、リンク切断処理と、占
有権設定処理と、プレゼンテーション処理と、プレゼンテーション切替処理とに大別でき
るが、これら各処理を実行させる前に、各参加者は、自らのステーション２０のネットワ
ークモジュール部２２の設定作業を行なっておく必要がある。
この設定作業は、参加者が自らのステーション２０を起動してプレゼンテーション支援
装置１０に近づけることにより行われる。上述したように、各ステーション２０とプレゼ
ンテーション支援装置１０は、共に無線タグモジュール部１３を備えており、プレゼンテ
ーション支援装置１０の無線タグモジュール部１３は、ステーション２０が近づけられる
と、そのメモリに記憶されている設定情報を読み出してステーション２０の無線タグモジ
ュールへ送信する。ステーション２０の無線タグモジュールにて受信された設定情報は制
御部２１に引き渡され、制御部２１は、設定情報の内容に応じた各種設定を無線タグモジ
ュール部２３に対して施す。
設定作業が完了した状態で、参加者が、プレゼンテーション支援装置１０とのリンクの
確立を指示する操作を行なうと、リンク確立処理が開始される。
【００１９】
ここで、ステーション２０とプレゼンテーション支援装置１０との間の無線ＬＡＮネッ
トワークを介したデータのやり取りは、イーサネット（登録商標）のプロトコルに従って
行なわれる。イーサネットのプロトコルにおいては、すべてのデータを、「フレーム」と
呼ばれる所定のフォーマットで流通させる。そこで、リンク確立処理の説明を行なう前に
まず、この「フレーム」のフォーマットについて説明しておく。
「フレーム」は、他のノードのアプリケーションへ引き渡す転送データを内包しないタ
イプと、他のノードのアプリケーションへ引き渡す転送データを内包するタイプとに大別
できる。
図５（ａ）は前者のフォーマットを示す図であり、図５（ｂ）は後者のフォーマットを
示す図である。他のノードとリンクを確立する手続や、リンクを切断する手続などは、図
５（ａ）に示すフレームをやり取りすることで実現する。一方、リンクが確立された状態
にあるときは、図５（ｂ）に示すフレームをやり取りすることによって、アプリケーショ
ンレベルでのデータの引渡が実現する。
図５（ａ）に示すフレームは、識別コード、宛先アドレス、発信元アドレスなどのブロ
ックよって構成されている。識別コードのブロックには、フレームの種別を表すコード情
報が内包される。このコード情報には、接続要求、接続許可、切断要求、切断許可、デー
タ転送などを表すものがある。宛先アドレスと発信元アドレスは、各ノードのＭＡＣアド
レスによってフレームの宛先と発信元を表す。フレームを受取ったノードは、宛先アドレ
スと自らのＭＡＣアドレスとを照合することによって、そのフレームが自らに宛てられた
ものか否かを判断し、自らに宛てられたものでなければこれを破棄する。また、発信元ア
ドレスを参照することによって、フレームの発信元のノードを特定する。なお、すべての
ノードを宛先とする場合は、「ブロードキャスト（ＢＣ）」という識別子が宛先アドレス
として記述されることになっている。一方、図５（ｂ）に示すフレームは、発信元アドレ
スの後に、転送データのブロックを従えている。この転送データのブロックには、例えば
、画像データや、アプリケーションに引き渡すメッセージなどを含めることができる。
【００２０】
図６は、リンク確立処理を示すフローチャートである。
リンクの確立を指示する操作が行われると、ステーション２０の制御部２１は、接続要
求メッセージを送信する（Ｓ１００）。
この接続要求メッセージを表すフレームは、図５（ａ）に示したタイプのフォーマット
となり、接続要求（識別コード）、ＢＣ（宛先アドレス）、自機のＭＡＣアドレス（発信
元アドレス）などから構成されることになる。なお、宛先アドレスが「ＢＣ」となってい
るのは、ステーション２０はこの時点ではまだプレゼンテーション支援装置１０のＭＡＣ
アドレスを取得していないためである。
【００２１】
接続要求メッセージを受信したプレゼンテーション支援装置１０の制御部１１は、メイ
ンメモリ１５に形成しているステーション管理テーブルに新たなレコードを設ける（Ｓ１
１０）。そして、そのレコードの「アドレス」のフィールドに、接続要求メッセージに発
信元アドレスとして内包されていたＭＡＣアドレスを記憶する（Ｓ１２０）。
続いて、制御部１１は、接続許可メッセージをステーション２０に宛てて送信する（Ｓ
１３０）。この接続許可メッセージを表すフレームも、図５（ａ）に示したタイプのフォ
ーマットとなり、その識別コードは「接続許可」となる。
【００２２】
接続許可メッセージを受信したステーション２０の制御部２１は、ＩＤ入力画面をディ
スプレイ部２９に表示させる（Ｓ１４０）。この入力画面は、ネットワークＩＤの入力を
促すメッセージと、ＩＤの入力欄とを表示している。参加者は、自らを識別するステーシ
ョンＩＤとして任意に決定した文字列をこの画面の入力欄へ入力する。
制御部２１は、入力されたステーションＩＤをプレゼンテーション支援装置１０に宛て
て送信する（Ｓ１５０）。この接続要求メッセージを表すフレームは、図５（ｂ）に示し
たタイプのフォーマットとなり、データ転送（識別コード）、ＢＣ（宛先アドレス）、自
機のＭＡＣアドレス（発信元アドレス）、ステーションＩＤ（転送データ）などのブロッ
クによって構成される。
ステーションＩＤを受信したプレゼンテーション支援装置１０は、ステップ１１０で設
けたレコードの「ＩＤ」のフィールドに、そのＩＤを記憶する（Ｓ１６０）。
以上で、リンク確立処理が終了する。
各参加者は、以上説明処理したような処理を実行させることによって、各々のステーシ
ョン２０を無線ＬＡＮネットワークに接続させる。
【００２３】
図７は、持ち時間設定処理を示すフローチャートである。
この処理は、少なくとも１つ以上のステーション２０がプレゼンテーション支援装置１
０とリンクを確立している状態で、持ち時間の設定を指示する操作が行なわれると開始さ
れる。この操作を行なうタイミングは任意であるが、少なくともプレゼンテーションの会
合を開始する時点で一度行なわれなければならない。また、プレゼンテーションの会合の
開始後、新たな参加者のステーション２０が無線ＬＡＮネットワークに接続してきた時点
で再度行なってもよい。
【００２４】
設定を指示する操作が行なわれると、プレゼンテーション支援装置１０の制御部１１は
、ステーション管理テーブルの各レコードからステーションＩＤと持ち時間の各セットを
読出す（Ｓ２００）。そして、読み出したステーションＩＤと待ち時間の各セットに基づ
いて描画した持ち時間設定画面をタッチディスプレイ部１９に表示させる（Ｓ２１０）。
【００２５】
図８に持ち時間設定画面を示す。この画面の上段には、「各参加者に割り当てられてい
る持ち時間は以下の通りです。持ち時間を新たに設定し、又は設定されている持ち時間を
変更するときは、持ち時間入力欄への入力を行なってください。」という内容のテキスト
が表示され、その下には、スケジュール管理テーブルから読み出された各ステーションＩ
Ｄ毎の持ち時間入力欄が表示される。なお、同画面の各ステーションＩＤの右隣の括弧の
中の数字は、既に割り当てられている持ち時間を示している。図８の例は、４つのステー
ションＩＤのうち「ＤＤＤ」の右隣にある括弧の中は「０」となっているが、これは、未
だ、持ち時間が割り当てられていない状態であることを示すものである。管理者は、各参
加者に割り当てる持ち時間をそれぞれの入力欄に入力する。各参加者に割り当てる持ち時
間は、各参加者が用意してきた画像データやその他の資料の分量等を加味して運営者が決
定する。また、会合の進行中に参加者の数が増加した場合、会合の進捗を調節すべく、持
ち時間が既に割り当てられているステーションＩＤと対応する入力欄に、当初割り当てて
いた時間よりも短い持ち時間を入力し直してもよい。
【００２６】
プレゼンテーション支援装置１０の制御部１１は、入力された持ち時間を、ステーショ
ン管理テーブルの「タイマ設定値」のフィールドにそれぞれ記憶する（Ｓ２２０）。なお
、既にデータが記憶されているフィールドについては、待ち時間設定画面にて新たに入力
された待ち時間を上書きする。
以上で、持ち時間設定処理が終了する。
【００２７】
図９は、リンク切断処理を示すフローチャートである。
この処理は、参加者が、リンクの切断を指示する操作が行なうと開始される。なお、こ
の操作は、リンクの確立後、任意のタイミングで行なうことが可能である。少なくとも、
占有権取得参加者が、自らが行なっているプレゼンテーションを終了する時点で行なうこ
とは必要であるが、占有権取得参加者以外の参加者が、プレゼンテーション会場から途中
退出する際に行なってもよい。
リンクの切断を指示する操作が行なわれると、ステーション２０の制御部２１は、切断
要求メッセージをプレゼンテーション支援装置１０に宛てて送信する（Ｓ３００）。
【００２８】
この切断要求メッセージを表すフレームは、図５（ａ）に示したタイプのフォーマット
となり、切断要求（識別コード）、プレゼンテーション支援装置１０のＭＡＣアドレス（
宛先アドレス）、自機のＭＡＣアドレス（発信元アドレス）などから構成される。
切断要求メッセージを受信したプレゼンテーション支援装置１０の制御部１１は、この
メッセージの発信元のＭＡＣアドレスと対応するレコードをステーション管理テーブルか
ら特定する（Ｓ３１０）。
そして、切断要求メッセージの発信元のステーション２０が、スクリーン３０の占有を
許可された状態にあるかを判断する（Ｓ３２０）。具体的には、ステップ３１０で特定し
たレコードの「接続許可フラグ」のフィールドを参照し、このフィールドに「１」のデー
タが記憶されていれば、スクリーン３０の占有が許可された状態にあると判断する。
【００２９】
スクリーン３０の占有を許可された状態にあると判断したとき、制御部１１は、占有権
取得参加者の切り替えを促す内容のテキストをタッチディスプレイ部１９に表示させる（
Ｓ３３０）。その後、ステップ３１０で特定したレコードを削除する（Ｓ３４０）。一方
、占有を許可された状態にないときは、ステップ３３０を実行することなく、直ちにステ
ップ３４０に進む。
レコードを削除した後、制御部１１は、切断要求メッセージの発信元のステーション２
０に宛てて切断許可メッセージを送信する（Ｓ３５０）。
以上でリンク切断処理が終了し、切断要求メッセージを送信したステーション２０の無
線ＬＡＮネットワークからの離脱が完了する。
【００３０】
図１０は、占有権設定処理を示すフローチャートである。
この処理は、少なくとも１つ以上のステーション２０がプレゼンテーション支援装置１
０とリンクを確立している状態で、占有権取得参加者の設定を指示する操作が行なわれる
と開始される。この操作を行なうタイミングは任意であるが、少なくともプレゼンテーシ
ョンの会合を開始する時点と、図９のステップ３３０で占有権取得参加者の切り替えを促
すテキストがタッチディスプレイ部１９に表示された時点では行なわれなければならない
。
【００３１】
設定を指示する操作が行なわれると、プレゼンテーション支援装置１０の制御部１１は
、ステーション管理テーブルの各レコードからステーションＩＤと持ち時間の各セットを
読出す（Ｓ４００）。そして、読み出したステーションＩＤと持ち時間の各セットに基づ
いて描画した占有者指定画面をディスプレイ部２９に表示させる（Ｓ４１０）。
図１１に、占有者指定画面を示す。この画面の上段には、「次のプレゼンテーションで
スクリーンの占有を許可する参加者を選択してください。」という内容のテキストが表示
され、その下には、各参加者のステーションＩＤと各々について設定された持ち時間とが
表示される。管理者は、スクリーン３０の占有を許可する参加者のステーションＩＤを選
択する操作を行なう。
【００３２】
制御部１１は、占有者指定画面にて選択されたステーションＩＤと対応付けられたレコ
ードをステーション管理テーブルの各レコードから特定し、特定したレコードの「占有許
可フラグ」のフィールドに「１」を記憶する（Ｓ４２０）。
制御部１１は、タイマ部１８から現在時刻を取得する（Ｓ４３０）。そして、取得した
現在時刻と、選択されたステーションＩＤに対応する持ち時間とを基に、プレゼンテーシ
ョンの終了時刻を算出する（Ｓ４４０）。例えば、現在時刻が午前１０時３０分で、持ち
時間が１０分であった場合、終了時刻を午前１０時４０分と算出する。
【００３３】
続いて、制御部１１は、終了時刻から３分間遡った終了予告時刻を算出する（Ｓ４５０
）。例えば、終了時刻を午前１０時４０分と算出した場合、その時刻から３分間遡った午
前１０時３７分を終了予告時刻と算出する。そして、算出した終了時刻と終了予告時刻を
タイマ部１８に設定する（Ｓ４６０）。
更に、制御部１１は、占有者指定画面にて選択されたステーションＩＤと、ステップ４
４０で算出した終了時刻とを表す画像データを生成して、画像用メモリ１６に記憶する（
Ｓ４７０）。すると、記憶された画像データを投射部１７が直ちに読出し、読み出した画
像データを基に描画した画像をスクリーン３０に投射する。
投射された画面を参照することにより、各参加者は、現在、スクリーンを占有する許可
を与えられている参加者とその参加者によるプレゼンテーションの終了時刻とを了解する
ことができる。
以上で、占有権設定処理が終了する。
【００３４】
図１２は、プレゼンテーション処理を示すフローチャートである。この処理は、無線Ｌ
ＡＮネットワークに接続しているステーション２０にて、参加者が、画像データの転送を
指示する操作を行なうと開始される。上述したように、各参加者は、所定のアプリケーシ
ョンソフトを用いて自らのプレゼンテーション用に作成した一又は複数の画像データをス
テーション２０のハードディスク２４に準備している。参加者が、自ら準備したいずれか
の画像データの転送を指示する操作を行なうと、プレゼンテーション処理が開始される。
【００３５】
画像データの転送を指示する操作が行なわれると、ステーション２０の制御部２１は、
その画像データを内包するスクリーン利用要求をプレゼンテーション支援装置１０に宛て
て送信する（Ｓ５００）。
このスクリーン利用要求を表すフレームは、図５（ｂ）に示したタイプのフォーマット
となり、データ転送（識別コード）、プレゼンテーション支援装置１０のＭＡＣアドレス
（宛先アドレス）、自機のＭＡＣアドレス（発信元アドレス）、画像データ（転送データ
）などから構成される。
【００３６】
スクリーン利用要求を受信したプレゼンテーション支援装置１０の制御部１１は、その
利用要求に含まれる画像データが表す画像の投射を許可してもよいか判断する（Ｓ５１０
）。
この判断は、スクリーン利用要求の発信元のＭＡＣアドレスと、ステーション管理テー
ブルの内容を照合することで行なわれる。上述したように、スクリーン利用要求を表すフ
レームは、発信元となるステーション２０のＭＡＣアドレスを内包しているので、このＭ
ＡＣアドレスと、「許可フラグ」のフィールドの内容が「１」なっているレコードに記憶
されたＭＡＣアドレスとが一致すれば、画像の投射を許可してよいと判断する。
【００３７】
画像の投射を許可すると判断したとき、制御部１１は、そのスクリーン利用要求が内包
していた画像データを画像用メモリ１６に記憶する（Ｓ５２０）。すると、記憶された画
像データを投射部１７が直ちに読出し、読み出した画像データを基に描画した画像をスク
リーン３０に投射する。一方、画像の投射を許可しないと判断したときは、スクリーン利
用要求を破棄する（Ｓ５３０）。
以上の処理が行われることにより、スクリーン３０には、占有権取得参加者のステーシ
ョン２０から送信された画像データの内容のみが投射されることになる。
占有権取得参加者は、自らが準備してきた画像データを逐次選択してその転送を指示す
る作業を繰り返すことで、スクリーン３０に投射される画像を切り替えながら自らのプレ
ゼンテーションを遂行する。
【００３８】
図１３は、プレゼンテーション切替処理を示すフローチャートである。この処理は、プ
レゼンテーション支援装置１０の制御部１１が、ステップ４６０でタイマ部１８に設定し
ていた終了予告時刻が到来した旨の通知を取得すると開始される。
終了予告時刻が到来した旨の通知を取得すると、制御部１１は、プレゼンテーションの
終了を予告する内容を表す画像を画像用メモリ１６に記憶する（Ｓ６００）。すると、記
憶された画像データを投射部１７が直ちに読出し、「プレゼンテーションの持ち時間は残
り僅かです」といった内容を表す画像をスクリーン３０に投射する。
【００３９】
投射された画像を参照した占有権取得参加者は、プレゼンテーションを直ちに終了でき
る場合、リンクの切断を指示する操作を行なう。リンクの切断を指示する操作が行なわれ
ると、図９に示したリンク切断処理が実行され、占有権取得参加者のステーション２０が
無線ＬＡＮネットワークから離脱する。この場合、当然ながら、リンク切断処理における
ステップ３２０の判断は「ＹＥＳ」になるため、ステップ３３０に進んで占有権取得参加
者の切り替えを促すテキストがタッチディスプレイ部１９に表示されることになる。そし
て、この内容を参照した管理者が占有権取得参加者の設定を指示する操作を行なうと、今
度は、図１０に示した占有権設定処理が実行され、運営者は、次にスクリーン３０の占有
を許可する新たな占有権取得参加者を指定する。
【００４０】
一方、占有権取得参加者が、リンクの切断を指示する操作を行なわないまま、終了時刻
が到来した旨の通知をタイマ部１８から取得すると、制御部１１は、延長設定画面をタッ
チディスプレイ部１９に表示させる（Ｓ６１０）。
図１４に、延長設定画面を示す。この画面の上段には、「終了予定時刻になりました。
５分間の延長を認めますか。」という内容のテキストが表示され、その下には、「延長を
認める」と記したボタンと「延長を認めない」と記したボタンとが表示される。
運営者は、いずれかのボタンを選択する操作を行なう。
【００４１】
「延長を認める」のボタンが選択されると、制御部１１は、タイマ部１８から現在時刻
を取得し、現在時刻から５分後の延長終了時刻を算出する（Ｓ６２０）。そして、算出し
た延長終了時刻をタイマ部１８に設定する（Ｓ６３０）。
更に、占有権取得参加者が、リンクの切断を指示する操作を行なわないまま、延長終了
時刻が到来した旨の通知をタイマ部１８から受取ると、ステップ６１０に戻って処理を繰
り返す。
一方、ステップ６１０で表示された延長設定画面において、「延長を認めない」のボタ
ンが選択されると、図１０に示した占有権設定処理が実行される。即ち、それまで占有権
取得参加者であった参加者に与えられていたスクリーン３０の占有許可が剥奪され、他の
参加者にスクリーン３０の占有許可が与えられることになる。
【００４２】
以上説明した本実施形態によると、運営者は、占有権取得参加者の設定を指示する操作
を行なうことにより、スクリーンの占有を許可するステーションを自在に切り替えること
ができる。また、各参加者のプレゼンテーションに割り当てる持ち時間を前もって設定し
ておき、その持ち時間が経過する３分前になると、プレゼンテーションの終了を促す画面
がスクリーンに投射されるようになっている。これにより、特定の参加者が長時間にわた
ってスクリーンを占有するといった不都合が回避され、運営者は、プレゼンテーションの
会合の進行を円滑に行なうことができる。
【００４３】
（第２実施形態）
次に、本発明の第２実施形態について説明する。
第１実施形態において、管理者は、プレゼンテーションの持ち時間を各参加者毎に個別
に設定しておき、設定された持ち時間の内容に応じて、スクリーンを占有が許可された際
の占有時間長を管理していた。これに対し、本実施形態は、プレゼンテーションの持ち時
間を予め設定するのではなく、プレゼンテーションの開始時刻と終了時刻とを各参加者毎
に予め設定するようになっている。また、予めタイマ部に設定されていた終了時刻が到来
すると、延長を一切認めることなくプレゼンテーションを強制的に終了させる。
【００４４】
本実施形態にかかるプレゼンテーションシステムも、第１実施形態と同様に、プレゼン
テーション支援装置１０と、複数のステーション２０と、スクリーン３０とから構成され
る。そして、ステーション２０のハードウェア構成は第１実施形態と同様である。また、
プレゼンテーション支援装置１０のハードウェア構成は、メインメモリ１５に形成される
ステーション管理テーブルのデータ構造を除いて、第１実施形態と同様である。
図１５は、ステーション管理テーブルのデータ構造図である。このテーブルを構成する
１つのレコードは、第１実施形態と同様に、「インデックス」、「ＩＤ」、「アドレス」
、「タイマ設定値」、「占有許可フラグ」の５つのフィールドを有しているが、これら各
フィールドのうち、「タイマ設定値」のフィールドが「開始時刻」と「終了時刻」の両フ
ィールドに分かれている点で第１実施形態と異なる。これら両フィールドの記憶内容は、
後述する持ち時間設定処理の際、管理者によって個別に決定される。
【００４５】
次に、本実施形態の動作を説明する。本実施形態の動作は、リンク確立処理と、持ち時
間設定処理と、リンク切断処理と、プレゼンテーション処理と、プレゼンテーション切替
処理とに大別でき、第１実施形態の占有権設定処理に相当する処理は行われない。そして
、持ち時間設定処理と、プレゼンテーション切替処理の内容は第１実施形態と異なる。
【００４６】
図１６は、持ち時間設定処理を示すフローチャートである。本実施形態における持ち時
間設定処理は、第１実施形態と同様、任意のタイミングで持ち時間の設定を指示する操作
が行なわれると開始される。
設定を指示する操作が行なわれると、プレゼンテーション支援装置１０の制御部１１は
、ステーション管理テーブルの各レコードからステーションＩＤと開始時刻と終了時刻の
各セットを読出す（Ｓ２０１）。そして、読み出したステーションＩＤと開始時刻と終了
時刻の各セットに基づいて描画した持ち時間設定画面をタッチディスプレイ部１９に表示
させる（Ｓ２１１）。
【００４７】
図１７に持ち時間設定画面を示す。この画面の上段には、「各参加者に割り当てられて
いる持ち時間は以下の通りです。持ち時間を新たに設定し、又は設定されている持ち時間
を変更するときは、開始時刻入力欄と終了時刻入力欄への入力を行なってください。」と
いう内容のテキストが表示され、その下には、スケジュール管理テーブルから読み出され
た各ステーションＩＤ毎の、開始時刻入力欄と終了時刻入力欄とが表示される。なお、同
画面の各ステーションＩＤの右隣の括弧の中の数字は、既に割り当てられている開始時刻
と終了時刻を示している。図１７の例は、４つのステーションＩＤのうち「ＤＤＤ」の右
隣にある括弧の中は「０」となっているが、これは、未だ、プレゼンテーションの開始時
刻と終了時刻が割り当てられていない状態であることを示すものである。管理者は、各参
加者に割り当てる開始時刻と終了時刻をそれぞれの入力欄に入力する。
【００４８】
プレゼンテーション支援装置１０の制御部１１は、入力された開始時刻と終了時刻のセ
ットを、ステーション管理テーブルの「タイマ設定値」のフィールドにそれぞれ記憶する
（Ｓ２２１）。なお、既にデータが記憶されているフィールドについては、待ち時間設定
画面にて新たに入力された開始時刻と終了時刻を上書きする。
続いて、制御部１１は、最も早い開始時刻が「タイマ設定値」のフィールドに記憶され
ているレコードをステーション管理テーブルの各レコードから特定し、特定したレコード
の「占有許可フラグ」のフィールドに「１」を記憶する（Ｓ２３１）。そして、ステップ
２３１で特定したレコードの「タイマ設定値」のフィールドから終了時刻を読出す（Ｓ２
４１）。
【００４９】
制御部１１は、読み出した終了時刻から３分間遡った終了予告時刻を算出する（Ｓ２５
１）。例えば、終了時刻が午前１０時１０分であった場合、その時刻から３分間遡った午
前１０時７分を終了予告時刻と算出する。そして、ステップ２４１で算出した終了時刻と
ステップ２５１で算出した終了予告時刻をタイマ部１８に設定する（Ｓ２６１）。
更に、制御部１１は、ステップ２３１で特定したレコードからステーションＩＤを読出
し、このステーションＩＤとステップ２４１で読み出した終了時刻とを表す画像データを
生成して、画像用メモリ１６に記憶する（Ｓ２７１）。すると、記憶された画像データを
投射部１７が直ちに読出し、読み出した画像データを基に描画した画像をスクリーン３０
に投射する。
投射された画像を参照することにより、各参加者は、現在、スクリーンを占有する許可
を与えられている参加者とその参加者によるプレゼンテーションの終了時刻とを了解する
ことができる。
以上で、本実施形態における占有権設定処理が終了する。
【００５０】
図１８は、プレゼンテーション切替処理を示すフローチャートである。本実施形態にお
けるプレゼンテーション切替処理は、プレゼンテーション支援装置１０の制御部１１が、
ステップ２６１でタイマ部１８に設定していた終了予告時刻が到来した旨の通知を取得す
ると開始される。
終了予告時刻が到来した旨の通知を取得すると、制御部１１は、プレゼンテーションの
終了を予告する内容の画像データを画像用メモリ１６に記憶する（Ｓ６０１）。すると、
記憶された画像データを投射部１７が直ちに読出し、「プレゼンテーションの持ち時間は
残り僅かです」といった内容の画像をスクリーン３０に投射する。
【００５１】
投射された画像を参照した占有権取得参加者は、プレゼンテーションを直ちに終了でき
る場合、リンクの切断を指示する操作を行なう。リンクの切断を指示する操作が行なわれ
ると、図９に示したリンク切断処理が行われる。このリンク切断処理において、ステップ
３２０の判断は「ＹＥＳ」になるため、ステップ３３０に進んで占有権取得参加者の切り
替えを促すテキストがタッチディスプレイ部１９に表示されることになる。そして、この
内容を参照した管理者が設定件取得参加者の設定を指示する操作を行なうと、図１０に示
した占有権設定処理が実行され、新たな占有権取得参加者が設定される。
【００５２】
一方、占有権取得参加者が、リンクの切断を指示する操作を行なわないまま、終了時刻
が到来した旨の通知を取得すると、制御部１１は、「占有許可フラグ」のフィールドに「
１」が記憶されているレコードを、ステーション管理テーブルから消去する（Ｓ６４１）
。
続いて、制御部１１は、プレゼンテーションを強制的に終了させる旨の内容を表す画像
データを生成して、画像用メモリ１６に記憶する（Ｓ６５１）。すると、記憶された画像
データを投射部１７が直ちに読出し、「プレゼンテーションを直ちに終了してください」
といった内容の画像をスクリーン３０に投射する。
その後、制御部１１は、占有権取得参加者の切り替えを促す内容のテキストをタッチデ
ィスプレイ部１９に表示させる（Ｓ６６１）。
【００５３】
以上説明した本実施形態によると、プレゼンテーションの各参加者に割り振る持ち時間
を、開始時間と終了時間のセットという形で予め設定し、この設定に従って、スクリーン
を占有する許可を与えられる参加者が自動的に切り替わるようになっている。従って、運
営者は、一度、持ち時間の設定を行なってしまえば、一人の参加者のプレゼンテーション
が終了するたびに次にプレゼンテーションを行なわせる参加者を設定するといった作業を
行なわなくても、プレゼンテーションの会合の進行を円滑に取り仕切ることができる。
【００５４】
（他の実施形態）
本願に係る発明は、種々の変形実施が可能である。
上記実施形態では、プレゼンテーションの終了時刻よりも３分間遡った時刻を終了予定
時刻としていたが、これより長い時間遡った時刻に予告してもよいし、短い時間遡った時
刻に予告してもよい。同様に、上記実施形態で認められる延長時間は５分であったが、こ
れより長い延長を認めてもよいし、短い延長を認めてもよい。
上記実施形態において、運営者は、タッチディスプレイ部を介して各種入力を行なって
いたが、IrDA（Infrared Data Association）に従った赤外線通信インターフェースをプ
レゼンテーション支援装置１０に搭載し、リモコンから各種入力を行なうようにしてもよ
い。
また、上記実施形態では、各参加者がプレゼンテーションを開始した後、終了予告時刻
が到来した時のみ、参加者に注意を促すメッセージを提示するようになっていたが、プレ
ゼンテーションを行なっている間、残りの持ち時間をスクリーンの隅に投射し続けるよう
にすることで、参加者の注意を促すようにしてもよい。
ステーション管理テーブルの各種設定内容を強制的にリセットする機能をプレゼンテー
ション支援装置１０に搭載させてもよい。プレゼンテーションの会合の会場が途中で変更
になり、設定をはじめからやり直さなければないような場合に有用な機能となる。
第２実施形態では、プレゼンテーションの終了時刻の延長を認めず、終了時刻が到来す
ると、プレゼンテーションを強制的に終了させるようになっていたが、第1実施形態と同
様に、運営者の操作に応じて所定の延長を認めるようにしてももちろんよい。
また上記実施形態は、占有権取得参加者以外の参加者であっても、自らのステーション
から切断要求メッセージを送信することで無線ＬＡＮネットワークから離脱できるように
なっていた。これに対し、切断要求メッセージを送信できるステーションを占有権取得参
加者のステーションに限定してもよい。例えば第１実施形態をこのような変形例で構成し
た場合、プレゼンテーション支援装置１０の制御部１１は、接続要求メッセージを取得す
ると、直ちに占有権取得参加者の切り替え指示を発行し、ステーション管理テーブルの「
占有権許可フラグ」のフィールドの内容が「１」となっているレコードを消去した後、占
有権取得参加者の切り替えを促す内容のテキストをタッチディスプレイ部１９に表示させ
るといった処理を行う。
【図面の簡単な説明】
【００５５】
【図１】プレゼンテーションシステムの全体構成図である。
【図２】プレゼンテーション支援装置のハードウェア構成図である。
【図３】ステーション管理テーブルのデータ構造図である。
【図４】ステーションのハードウェア構成図である。
【図５】フレームのフォーマットを示す図である。
【図６】リンク確立処理を示すフローチャートである。
【図７】持ち時間設定処理を示すフローチャートである。
【図８】持ち時間設定画面である。
【図９】リンク切断処理を示すフローチャートである。
【図１０】占有権設定処理を示すフローチャートである。
【図１１】占有者指定画面である。
【図１２】プレゼンテーション処理を示すフローチャートである。
【図１３】プレゼンテーション切替処理を示すフローチャートである。
【図１４】延長設定画面である。
【図１５】ステーション管理テーブルのデータ構造図である。
【図１６】持ち時間設定処理を示すフローチャートである。
【図１７】持ち時間設定画面である。
【図１８】プレゼンテーション切替処理を示すフローチャートである。
【符号の説明】
【００５６】
１０…プレゼンテーション支援装置、１１，２１…制御部、１２，２２…ネットワークモ
ジュール部、１３，２３…無線タグモジュール部、１４，２４…ハードディスク、１５，
２５…メインメモリ、１６，２６…画像用メモリ、１７…投射部、１８…タイマ部、１９
…タッチディスプレイ部、２０…ステーション、２８…操作部、２９…ディスプレイ部、
３０…スクリーン
【図１】
2005244332.tif 000003
【図２】
2005244332.tif 000004
【図３】
2005244332.tif 000005
【図４】
2005244332.tif 000006
【図５】
2005244332.tif 000007
【図６】
2005244332.tif 000008
【図７】
2005244332.tif 000009
【図８】
2005244332.tif 000010
【図９】
2005244332.tif 000011
【図１０】
2005244332.tif 000012
【図１１】
2005244332.tif 000013
【図１２】
2005244332.tif 000014
【図１３】
2005244332.tif 000015
【図１４】
2005244332.tif 000016
【図１５】
2005244332.tif 000017
【図１６】
2005244332.tif 000018
【図１７】
2005244332.tif 000019
【図１８】
2005244332.tif 000020